(57)【要約】      （修正有）【課題】誤動作の影響を受けにくい音響変換器を提供する。【解決手段】音響変換器は、上部部品３０１および下部部品３０２を備え、上部部品３０１内に第一の永久磁石３０３を有し、下部部品３０２内に第二の永久磁石３０４を有する。第一および第二の永久磁石３０３、３０４の同種の磁極は、互いに向かい合う。上部部品３０１内の上部カバー３０６および下部部品３０２内の下部カバー３０７は、磁性材料を備え、磁石３０３、３０４の周囲にエンクロージャを画定する。コイル３０８は、電流の影響下で、動的な磁力を生成する。上部カバー３０６と下部カバー３０７とのエッジの間の離間ギャップ３０９は、下部カバー３０７と上部カバー３０６のエッジが軸線３０５の方向に相対的に移動することを可能にする。離間ギャップ３０９の位置は、上部カバー３０６と下部カバー３０７のエッジが軸線と垂直な方向で重なる程度により異なる。【選択図】図３
0003233861.tif 000002
【実用新案登録請求の範囲】
【請求項１】
電気信号を音響周波数上の機械的振動に変換するための音響変換器であって、前記音響変換器が、
・上部部品（３０１）および下部部品（３０２）と、
・前記上部部品（３０１）内に位置する第一の永久磁石（３０３）と、前記下部部品（３０２）内に位置する第二の永久磁石（３０４）であって、前記第一および第二の永久磁石（３０３、３０４）の同様に命名された磁極は軸線（３０５）の方向で互いに向かい合う、第一および第二の永久磁石（３０３、３０４）と、
・上部部品（３０１）内の上部カバー（３０６）および下部部品（３０２）内の下部カバー（３０７）であって、前記上部カバーおよび前記下部カバー（３０６、３０７）は、磁性材料を備え、一緒になって、前記第一および第二の永久磁石（３０３、３０４）の周囲にエンクロージャを画定する、上部カバーおよび下部カバー（３０６、３０７）と、
・前記エンクロージャ内に位置する少なくとも１つのコイル（３０８）であって、前記コイル（３０８）を流れる電流の影響下で、前記軸線（３０５）の方向に動的磁力を生成するように構成された、少なくとも１つのコイル（３０８）と、
を備え、
・前記上部カバー（３０６）と前記下部カバー（３０７）とのエッジの間の離間ギャップ（３０９）によって、本質的に前記軸線（３０５）方向に向けられ、前記下部カバー（３０７）および前記上部カバー（３０６）の前記エッジが異なる位置の間で前記軸線（３０５）の方向に相対的な移動をすることが可能になり、前記位置は、前記上部カバー（３０６）および前記下部カバー（３０７）の前記エッジが前記軸線（３０５）に垂直な方向に一致する程度が異なる、
音響変換器。
【請求項２】
・前記上部カバー（３０６）はＵ字状断面を有し、前記第一の永久磁石（３０３）が前記Ｕ字の前記ループの内側に位置し、
・前記下部カバー（３０７）はプレート状断面を有し、前記プレートの外側エッジが前記下部カバー（３０７）の前記エッジを画定し、
・前記第二の永久磁石（３０４）は、前記上部カバー（３０６）の前記Ｕ字状断面の前記内側に面する前記プレートのその側にある、請求項１に記載の音響変換器。
【請求項３】
・前記下部カバー（３０７）はＵ字状断面を有し、前記第二の永久磁石（３０４）が前記Ｕ字の前記ループの内側に位置し、
・前記上部カバー（３０６）はプレート状断面を有し、前記プレートの外側エッジが前記上部カバー（３０６）の前記エッジを画定し、
・前記第一の永久磁石（３０４）は、前記下部カバー（３０６）の前記Ｕ字状断面の内側に面する前記プレートのその側にある、
請求項１に記載の音響変換器。
【請求項４】
・前記Ｕ字状断面において、前記Ｕ字のアームの端部は、内側に突出する延長部（４０３）を備え、前記延長部（４０３）の内側端部は、それぞれの前記カバー（３０６、３０７）のエッジを画定する、
請求項２または３に記載の音響変換器。
【請求項５】
・前記Ｕ字状断面を有する前記カバー（３０６、３０７）は、第一のカップ部品（６０１）および第二のカップ部品（６０２、８０２）を備え、それぞれがスカート部分および端部分を有し、
・前記第二のカップ部品（６０２、８０２）は、前記第一のカップ部品（６０１）に対して反転した位置にあり、
・前記第一および第二のカップ部品（６０１、６０２、８０２）の前記スカート部分は、少なくとも部分的に互いに内側にあり、
・前記第二のカップ部品（６０２、８０２）の端部分は、開口部を有し、そのエッジは、前記Ｕ字状断面を有する前記カバー（３０６、３０７）の前記エッジを画定する、
請求項４に記載の音響変換器。
【請求項６】
・前記第一および第二のカップ部品（６０１、６０２）の前記スカート部分は、前記第一および第二のカップ部品（６０１、６０２）の両方の前記スカート部分の長さの大部分にわたって互いに内側にあり、
・それぞれの前記永久磁石（３０３）は、前記第一および第二のカップ部品（６０１、６０２）の両方の前記スカート部分の内側にある、
請求項５に記載の音響変換器。
【請求項７】
・前記第一のカップ部品（６０１）の前記スカート部分の長さは、前記第二のカップ部品（８０２）の前記スカート部分の長さよりも長く、
・それぞれの前記永久磁石（３０３）は、前記第一のカップ部品（６０１）の前記スカート部分の内側にあり、
・それぞれの前記永久磁石（３０３）および前記第二のカップ部品（８０２）は、前記第一のカップ部品（６０１）の前記スカート部分の内側に積み重ねられる、
請求項５に記載の音響変換器。
【請求項８】
・磁性材料のシート（７０１）が、それぞれの前記永久磁石（３０３）と前記第一のカップ部品（６０１）の端部分との間に積み重ねられる、
請求項５〜７のいずれか一項に記載の音響変換器。
【請求項９】
・前記Ｕ字状断面を有する前記カバー（３０６、３０７）は、第一のカップ部品（１００１）および第二のカップ部品（１００２）を備え、それぞれがスカート部分および端部分を有し、
・前記第二のカップ部品（１００２）は、前記第一のカップ部品（１００１）に対して、前記第一のカップ部品（１００１）の内側で、同様に配向された位置にあり、
・前記第二のカップ部品（１００２）の前記スカート部分は、前記スカート部分の中間長手方向レベルにある前記スカート部分の穿孔ゾーン（１１０１）を備え、
・前記第二のカップ部品（１００２）の前記スカート部分は、前記端部分と反対側の端部に中実ゾーン（１１０２）を備え、前記中実ゾーン（１１０２）は、前記Ｕ字状断面を有する前記カバー（３０６、３０７）の前記エッジを画定する、
請求項４に記載の音響変換器。
【請求項１０】
・前記Ｕ字状断面を有する前記カバー（３０６、３０７）は、一端が端部分によって閉鎖され、他端が開放されたスカート部分を有する第一のカップ部品（１２０１）を備え、
・前記Ｕ字状断面を有する前記カバー（３０６、３０７）は、外側リムおよび内側リムを有するワッシャ部品（１２０２）を備え、前記内側リムは、前記スカート部分の内側寸法よりも小さい開口部を画定し、
・前記ワッシャ部品（１２０２）は、前記第一のカップ部品（１２０１）と同心で、前記スカート部分の開放端に取り付けられ、その結果、前記ワッシャ部品（１２０２）の前記内側リムは、前記Ｕ字状断面を有する前記カバー（３０６、３０７）の前記エッジを画定する、
請求項２に記載の音響変換器。
【請求項１１】
前記軸線（３０５）に垂直な方向への前記上部部品と前記下部部品（３０１、３０２）との相対的な移動に抵抗するように構成され、同時に前記軸線（３０５）の方向への前記上部部品と前記下部部品（３０１、３０２）との相対的な移動を可能にするように構成された支持部材（１３０１、１５０１）を備える、請求項１〜１０のいずれか一項に記載の音響変換器。
【請求項１２】
前記支持部材が多分岐渦巻きバネ（１３０１）を備え、前記多分岐渦巻きバネ（１３０１）の中心部分（１４０１）は、前記上部部品および前記下部部品（３０１、３０２）の一方に取り付けられ、前記多分岐渦巻きバネ（１３０１）の端部（１４０２）は、前記上部部品および前記下部部品（３０１、３０２）の他方に取り付けられる、請求項１１に記載の音響変換器。
【請求項１３】
前記支持部材は、前記上部部品および前記下部部品（３０１、３０２）に取り付けられ、前記離間ギャップ（３０９）を橋渡しする箔（１５０１）を備える、請求項１１に記載の音響変換器。
【請求項１４】
前記箔（１５０１）の少なくとも一部が、前記少なくとも１つのコイル（３０８）に電気信号を伝導するためのフレキシブルプリント回路を構成する、請求項１２に記載の音響変換器。
【請求項１５】
・第一および第二の構造部品（４０１、４０２）を有する電子デバイスと、
・少なくとも１つの、請求項１〜１４のいずれか一項に記載の音響変換器であって、前記音響変換器の前記上部部品（３０１）は、前記第一の構造部品（４０１）に取り付けられ、前記音響変換器の前記下部部品（３０２）は、前記電子デバイスの前記第二の構造部品（４０２）に取り付けられる、少なくとも１つの音響変換器と、
・前記電子デバイスの一部として、前記音響変換器の前記少なくとも１つのコイル（３０８）に電気信号を供給するように構成された電気回路と、
を備える、音を生成するための配置。
【請求項１６】
前記第一の構造部品（４０１）は、前記電子デバイスのディスプレイなどの前記電子デバイスの可視外面を備える、請求項１５に記載の配置。
【請求項１７】
前記第二の構造部品（４０２）は、前記電子デバイスの構造支持フレームの一部を備える、請求項１５または１６に記載の配置。
【請求項１８】
・前記音響変換器の前記上部部品（３０１）は、前記上部部品（３０１）が前記第一の構造部品（４０１）に取り付けられるその側に、第一の横方向寸法（Ｄ１）を有し、
・前記配置は、前記上部部品（３０１）と前記第一の構造部品（４０１）との間に、前記軸線（３０５）の方向に前記上部部品（３０１）の動きを前記第一の構造部品（４０１）内に伝達するための本質的に非弾性の第一の取付け部材（１６０１）を備え、
・前記第一の取付け部材（１６０１）は、前記第一の横方向寸法（Ｄ１）よりも小さい第二の横方向寸法（Ｄ２）を有する、
請求項１５〜１７のいずれか一項に記載の配置。
【請求項１９】
・前記配置は、前記第一の構造部品（４０１）に対して傾斜しないように前記上部部品（３０１）を安定させるために、前記第一の取付け部分（１６０１）によって覆われていない前記上部部品（３０１）および前記第一の構造部品（３０１）のそれらの部分の間に、本質的に弾性の第二の取付け部材（１６０２、１７０１）を備える、
請求項１８に記載の配置。
【請求項２０】
前記第二の取付け部材（１６０２、１７０１）は、弾性変形可能な緩衝材料（１６０２）、前記上部部品（３０１）の前記第一の横方向寸法（Ｄ１）よりも前記第一の構造部品（４０１）上にさらに延びるバネ分岐（１７０１）のうちの少なくとも１つを備える、請求項１９に記載の配置。
【請求項２１】
前記第一の構造部品（４０１）の局所的な弾性特性を前記上部部品（３０１）によって伝達される動きに合わせるために、前記上部部品（３０１）と前記第一の構造部品（４０１）との間に支持シート（１６０３）を備える、請求項１５〜２０のいずれか一項に記載の配置。
【考案の詳細な説明】
【技術分野】
【０００１】
本考案は、一般に、好ましくは音響周波数上で電気信号を機械的振動に変換する音響変換器の分野に関する。本考案は、特に、電気デバイスの１つまたは複数の表面を変換の部品として機能させるために使用することができる音響変換器に関する。
【背景技術】
【０００２】
図１は、電子デバイスに取り付けられていない公知の音響変換器自体を、部分的に切り取られた不等角投影図で示す。図２は、図１において切り取られた同一の平面に沿った同一の公知の音響変換器の断面図を、電子デバイスに取り付けた状態で概略的に示す。この種の音響変換器は、例えば、特許文献１から知られている。
【０００３】
図１および図２の公知の音響変換器は、水平ギャップ１０３によって互いに離間された上部部品１０１および下部部品１０２を備える。上部部品は、その頂面において、電子デバイスの第一の構造部品２０１に取り付けられる。第一の構造部品２０１は、典型的には、電子デバイスの可視部分、または少なくともアクセス可能な部分であり、例えば、そのディスプレイパネルである。その頂面２０２は、頂面２０２が周囲の空気に対するインタフェースを構成するように、ユーザに見えるか、または少なくともアクセス可能である。音響変換器の下部部品１０２は、その底面において、電子デバイスの第二の構造部品２０３に取り付けられる。第二の構造部品２０３は、例えば、電子デバイスの構造支持フレームの一部であってもよい。第一の構造部品２０１と第二の構造部品２０３との構造関係は、上部部品１０１と下部部品１０２との間の水平方向のギャップ１０３を維持する役割を果たす。また、ギャップ１０３には、上部部品１０１と下部部品１０２との間に接着接合部を形成することができる弾性の非磁性材料を充填することができる。
【０００４】
第一の永久磁石１０４は上部部品１０１内に位置し、磁石１０５は下部部品１０２内に位置する。図１および図２に示す実施形態では、第一の永久磁石１０４は、比較的平坦な円筒形状を有し、第二の永久磁石１０５は、比較的平坦なリング形状を有する。第一の永久磁石１０４および第二の永久磁石１０５の磁極は、反発構成で配向され、それらの同様の名称の極（Ｓ極またはＮ極のいずれか）が互いに対向している。したがって、互いに対向する同様の名称の磁極から生じる静的磁力は、上部部品１０１と下部部品１０２とを互いに引き離すように、絶えず押す。
【０００５】
音響変換器は、上部カバー１０６および下部カバー１０７を備え、これらは、いずれもカップ状に形成され、磁性材料からなる。上部カバー１０６および下部カバー１０７の磁気特性は、第一の永久磁石１０４および第二の永久磁石１０５の磁力線を集中させて案内し、その結果、吸引静的磁力が水平ギャップ１０３のエッジに現れる。
【０００６】
コイル１０８は、下部部品１０２の第二の永久磁石１０５を囲む。フラットケーブル１０９は、電子デバイスの他の場所に位置する電子回路（図示せず）からコイル１０８への導電性接続を提供する。コイル１０８を流れる変動電流は、上述した静磁場と合計する動的磁場を誘起し、上部部品１０１を下部部品１０２に対して垂直に移動させる。第一の構造部品２０１は、第二の構造部品２０３よりも構造剛性が弱いので、電磁誘導された上部部品１０１の垂直方向の動きは、第一の構造部品２０１の振動モードに変換され、これによって、第一の構造部品２０１は、周囲の空気に可聴音を発する。要するに、音響変換器は、第一の構造部品２０１を平面ラウドスピーカのように動作させる。
【０００７】
図１および図２の公知の音響変換器の固有の欠点は、反発静的磁力と吸引静的磁力との微妙なバランスに関連する。特に、吸引磁力の相対強度は、ギャップ１０３における上部カバー１０６と下部カバー１０７とのエッジ間の距離に強く依存する。外力が第一の構造部品２０１を下方に押すと、例えば、ユーザが不注意で指先でタッチパネルをやや強く押すと、ギャップ１０３が一時的に完全に閉じてしまうことがある。このため、吸引磁力が増加した影響を受けて、上部部品１０１および下部部品１０２が一緒にスナップする原因となり、これが非常に強力なため、恒久的な状態となって、変換器が誤動作することがある。
【０００８】
図１および図２の公知の音響変換器の第二の欠点は、上部部品と下部部品との間のギャップが空気のみで構成されることである場合、１つの一体ピースで製造することが困難なことであり、変換器は、別々に組み立てられ、電子デバイスの製造業者に納品することになる。典型的には、音響変換器の上部部品と下部部品が納品され、電子デバイスの第一および第二の構造部品内にそれらを十分正確に配置して取り付けるのは、今もデバイス製造業者の責任である。
【０００９】
音響変換器を、上記の方法による誤動作の影響を受けにくくすることができ、必要に応じて、一体ピースとして製造することができる技術的解決策は歓迎されることになろう。
【先行技術文献】
【特許文献】
【００１０】
【特許文献１】欧州特許出願公開第３６０３１１０号
【考案の概要】
【考案が解決しようとする課題】
【００１１】
上述した従来技術の欠点を伴わずに、音響信号を生成する音響変換器および装置を提供することが目的である。
【課題を解決するための手段】
【００１２】
第一の態様によれば、電気信号を音響周波数上の機械的振動に変換するための音響変換器が提供される。音響変換器は、上部部品および下部部品を備える。第一の永久磁石は上部部品内に位置し、第二の永久磁石は下部部品内に位置する。第一および第二の永久磁石の同様に命名された磁極は、軸線の方向で互いに向かい合う。音響変換器は、上部部品内に上部カバーを、下部部品内に下部カバーを備える。前記上部カバーおよび下部カバーは、磁性材料を備え、一緒になって、前記第一の永久磁石および第二の永久磁石の周囲にエンクロージャを画定する。少なくとも１つのコイルは、前記エンクロージャ内に位置し、前記コイルを流れる電流の影響下で、前記軸線の方向に動的磁力を生成するように構成される。前記上部カバーと下部カバーとのエッジの間の離間ギャップによって、本質的に前記軸線方向に向けられ、前記下部カバーおよび上部カバーの前記エッジが異なる位置の間で前記軸線方向に相対的な移動をすることが可能になり、前記位置は、前記上部カバーおよび下部カバーの前記エッジが前記軸線に垂直な方向に一致する程度が異なる。
【００１３】
一実施形態によると、前記上部カバーは、Ｕ字状断面を有し、前記第一の永久磁石は、Ｕ字のループの内側に位置する。前記下部カバーは、プレート状断面を有し、前記プレートの外側エッジは、下部カバーの前記エッジを画定する。前記第二の永久磁石は、上部カバーのＵ字状断面の内側に面するプレートのその側にある。これには、上部カバーと下部カバーとのエッジの間で適切に方向付けられたギャップが、多数の異なる構成アプローチで実現できるという利点が含まれる。
【００１４】
一実施形態によると、前記下部カバーは、Ｕ字状断面を有し、前記第二の永久磁石は、Ｕ字のループの内側に位置する。前記上部カバーは、プレート状断面を有し、前記プレートの外側エッジは、上部カバーの前記エッジを画定する。前記第一の永久磁石は、下部カバーのＵ字状断面の内側に面するプレートのその側にある。これには、上部カバーと下部カバーとのエッジの間で適切に方向付けられたギャップが、多数の異なる構成アプローチで実現できるという利点を伴う。
【００１５】
一実施形態によれば、前記Ｕ字状断面において、Ｕ字のアームの端部は、内側に突出する延長部を備える。前記延長部の内側端部は、それぞれのカバーの前記エッジを画定する。これには、ギャップを横切る磁力線に関する効果をより顕著にすることができるという利点を伴う。
【００１６】
一実施形態によれば、前記上部カバーまたは下部カバーは、第一のカップ部品および第二のカップ部品を備え、そのそれぞれがスカート部分および端部分を有する。前記第二のカップ部品は、第一のカップ部品に対して反転した位置にあってもよい。前記第一および第二のカップ部品の前記スカート部分は、少なくとも部分的に互いに内側にあってもよく、前記第二のカップ部品の端部分は、開口部を有し、そのエッジは、それぞれのカバーの前記エッジ部を画定する。これには、それぞれのカバーの明確に画定された延在エッジが、様々な詳細なアプローチで製造され得るという利点を伴う。
【００１７】
一実施形態によれば、前記第一および第二のカップ部品の前記スカート部分は、前記第一および第二のカップ部品の両方のスカート部分の長さの大部分にわたって互いに内側にある。永久磁石は、前記第一および第二のカップ部品の両方のスカート部分の内側にあってもよい。これには、それぞれのカバーについて、かなりの全壁厚を得ることができるという利点を伴う。
【００１８】
一実施形態によれば、前記第一のカップ部品のスカート部分の長さは、前記第二のカップ部品のスカート部分の長さよりも長い。永久磁石は、前記第一のカップ部品のスカート部分の内側にあってもよく、前記第一の永久磁石および前記第二のカップ部品は、前記第一のカップ部品のスカート部分の内側に積み重ねられてもよい。これには、第二のカップ部品を取り付ける前に、永久磁石を第一のカップ部品に取り付けることができるという利点を伴う。
【００１９】
一実施形態によると、上部部品または下部部品は、永久磁石と第一のカップ部品の端部分との間に積み重ねられた磁性材料のシートを備える。これには、構造のそれぞれの部品に、磁性材料の厚さが追加されるという利点を伴う。
【００２０】
一実施形態によれば、前記上部カバーまたは下部カバーは、それぞれがスカート部分および端部分を有する第一のカップ部品および第二のカップ部品を備える。前記第二のカップ部品は、前記第一のカップ部品に対して、前記第一のカップ部品の内側で、同様に配向された位置にあってもよい。前記第二のカップ部品のスカート部分は、前記スカート部分の中間長手方向レベルにある前記スカート部分の穿孔ゾーンを含むことができる。前記第二のカップ部品のスカート部分は、その端部分と反対側の端部に中実ゾーンを備えてもよく、この中実ゾーンは、それぞれのカバーの前記エッジを画定する。これには、前記第一の永久磁石を追加する前に、それぞれの部品での金属加工を仕上げることができるという利点を伴う。
【００２１】
一実施形態によれば、前記上部カバーまたは下部カバーは、一端が端部分によって閉じられ、他端が開かれたスカート部分を有する第一のカップ部品を備える。それぞれのカバーは、外側リムおよび内側リムを有するワッシャ部品を備えることができ、前記内側リムは、前記スカート部分の内側寸法よりも小さい開口部を画定する。前記ワッシャ部品は、前記第一のカップ部品と同心で、スカート部分の開放端に取り付けられ、その結果、ワッシャ部品の内側リムは、それぞれのカバーの前記エッジを画定する。これには、上部部品の非常に正確に寸法決めされたエッジを製造することができるという利点を伴う。
【００２２】
一実施形態によれば、音響変換器は、前記軸線に垂直な方向への前記上部部品と下部部品との相対的な移動に抵抗するように構成され、同時に前記軸線の方向への前記上部部品と下部部品との相対的な移動を可能にするように構成された支持部材を備える。これには、ギャップの寸法を非常に正確に維持することができるという利点を伴う。
【００２３】
一実施形態によれば、前記支持部材は、多分岐渦巻きバネを備え、前記多分岐渦巻きバネの中心部分は、前記多分岐渦巻きバネの上部部品および下部部品の一方に取り付けられ、前記多分岐渦巻きバネの端部は、前記部品の他方に取り付けられる。これには、支持部材を比較的容易に製造でき、音響変換器構造の残りの部分に取り付けられるという利点を伴う。
【００２４】
一実施形態によれば、前記支持部材は、前記上部部品および下部部品に取り付けられ、前記離間ギャップを橋渡しする箔を備える。これには、非常に薄い支持部材を使用して、音響変換器全体の高さを低くすることができるという利点を伴う。
【００２５】
一実施形態によれば、前記箔の少なくとも一部は、前記少なくとも１つのコイルに電気信号を伝導するためのフレキシブルプリント回路を構成する。これには、構造部品を二重目的に使用して、音響変換器構造の全体的な部品数を減らすことができるという利点を伴う。
【００２６】
第二の態様によれば、音を生成するための配置が提供される。この配置は、第一および第二の構造部品を有する電子デバイスと、上述した種類の少なくとも１つの音響変換器とを備える。音響変換器の上部部品は、電子デバイスの第一の構造部品に取り付けられ、音響変換器の下部部品は、電子デバイスの第二の構造部品に取り付けられる。電子デバイスの一部として、電気回路は、音響変換器の前記少なくとも１つのコイルに電気信号を供給するように構成される。
【考案の効果】
【００２７】
一実施形態によれば、前記第一の構造部品は、前記電子デバイスのディスプレイなどの前記電子デバイスの可視外面を備える。これには、別個のラウドスピーカを省いて、電子デバイスの別の構造部品を音の発生源として兼用できるという利点を伴う。
【００２８】
一実施形態によれば、前記第二の構造部品は、電子デバイスの構造支持フレームの一部を備える。これは、音響変換器の下部を支持するのに十分な構造剛性を提供することが比較的容易であるという利点を伴う。
【００２９】
一実施形態によると、音響変換器の上部部品は、その上部部品が第一の構造部品に取り付けられる側に、第一の横方向寸法を有する。この配置は、上部部品と第一の構造部品との間に本質的に非弾性の第一の取付け部材を備えてもよいが、これは、軸線の方向への前記上部部品の動きを前記第一の構造部分に伝達するためである。前記第一の取付け部材は、前記第一の横方向寸法よりも小さい第二の横方向寸法を有することができる。これには、電子デバイスの第一の構造部品で、剛性を保つ必要がある部分が少なくなるという利点を伴う。
【００３０】
一実施形態によれば、配置は、前記第一の構造部品に対して傾斜しないように前記上部部品を安定させるために、前記第一の取付け部品によって覆われていない前記上部部品および前記第一の構造部品のそれらの部分の間に、本質的に弾性の第二の取付け部材を備える。これには、電子デバイスの第一の構造部品に振動を伝達する能力を弱めることなく、音響変換器の取り付けを安定化できるという利点を伴う。
【００３１】
一実施形態によれば、前記第二の取付け部材は、弾性変形可能な緩衝材料、および／または前記上部部品の前記第一の横方向寸法よりも前記第一の構造部品上にさらに延びるバネ分岐を備える。これには、様々な実施可能性を有する所望の支持特徴を実装するという利点を伴う。
【００３２】
一実施形態によれば、この配置は、第一の構造部品の局所的な弾性特性を、上部部品によって伝達される動きに合わせるために、前記上部部品と前記第一の構造部品との間に支持シートを備える。これには、第一の構造部品の局所的な弾性特性を、上部部品によって伝達される動きに、より良く合わせるという利点を伴う。
【００３３】
添付の図面は、本考案のさらなる理解を提供するために含まれ、本明細書の一部を構成し、本考案の実施形態を例示し、説明とともに本考案の原理を説明するのに役立つ。
【図面の簡単な説明】
【００３４】
【図１】公知の音響変換器を示す。
【図２】公知の音響変換器を示す。
【図３】一実施形態による音響変換器を示す。
【図４】一実施形態による音響変換器を示す。
【図５】様々な構造における垂直方向の動きの関数として、結果として生じる静的磁力を示す。
【図６】一実施形態による音響変換器を示す。
【図７】一実施形態による音響変換器を示す。
【図８】一実施形態による音響変換器を示す。
【図９】一実施形態による音響変換器を示す。
【図１０】一実施形態による音響変換器を示す。
【図１１】図１０の音響変換器を分解図で示す。
【図１２】一実施形態による音響変換器を示す。
【図１３】一実施形態による音響変換器を示す。
【図１４】弾性支持部材の一例を示す。
【図１５】一実施形態による音響変換器を示す。
【図１６】一実施形態による音響変換器を示す。
【図１７】一実施形態による音響変換器を示す。
【図１８】一実施形態による音響変換器を示す。
【図１９】一実施形態による音響変換器を示す。
【図２０】図１９の音響変換器を部分分解図で示す。
【考案を実施するための形態】
【００３５】
図３は、一実施形態による音響変換器を部分的に切り取った不等角投影図で示す。図４は、図３において切り取られた同一の平面に沿った同一の音響変換器の断面を、電子デバイスに取り付けた状態で概略的に示す。
【００３６】
音響変換器は、上部部品３０１および下部部品３０２を備える。ここで、また、このテキストの他のすべての部分において、「上部」または「下部」などの方向に関連する用語は、図面との比較を容易にする例示的な名前としてのみ使用される。そのような用語は、記載された実施形態の任意の実用的な実施において、任意の特定の方向において対応する部品または特徴の適用可能性または使用を限定するものとして解釈されるべきではない。別の重要な一般化は、図面に示されている実施例の多くが回転対称性を示し、一般的な丸い円筒形状を有する場合であっても、これは、単に図面を読みやすくするためである。丸い円筒形状は、決して限定するものではなく、示された構造の大部分は、三角形、長方形、六角形、または他の多角形のような他の形状を有し得る。これは、特に、音響変換器の一般的な輪郭、およびその結果としてのカバー部品、永久磁石、およびコイルの一般的な輪郭に当てはまる。
【００３７】
音を生成するための配置における上部部品３０１および下部部品３０２の一般的な役割を図４に模式的に示す。電子デバイスは、第一の構造部品４０１および第二の構造部品４０２を備えると想定される。音響変換器の上部部品３０１は、第一の構造部品４０１に取り付けられ、音響変換器の下部部品３０２は、電子デバイスの第二の構造部品４０２に取り付けられる。
【００３８】
第一の永久磁石３０３は上部部品３０１内に位置し、第二の永久磁石３０４は下部部品３０２内に位置する。第一の永久磁石３０３および第二の永久磁石３０４の極性は、図面の斜めハッチで図示されている。第一の永久磁石３０３および第二の永久磁石３０４の同様に命名された磁極は、軸線３０５の方向で互いに向かい合い、その軸線は、また、「上部」および「下部」の呼び方をもたらす方向を示す。同様に命名された磁極とは、Ｎ極またはＳ極を意味し、第一の永久磁石３０３のＳ極のいずれかが第二の永久磁石３０４のＳ極に対向するように、または第一の永久磁石３０３のＮ極が第二の永久磁石３０４のＮ極に対向するようになる。その結果、第一の永久磁石３０３と第二の永久磁石３０４との間の基本的な静磁気相互作用は、軸線３０５方向の反発力である。
【００３９】
音響変換器は、上部部品３０１内に上部カバー部品３０６と、下部部品３０２内の下部カバー部品３０７とを備える。上部カバー３０６および下部カバー３０７は、磁性材料を備え、その結果、上部カバー３０６および下部カバー３０７は、第一の永久磁石３０３および第二の永久磁石３０４の磁力線のかなりの割合をその材料内に閉じ込めることができるという最も重要な結果をもたらす。上部カバー３０６および下部カバー３０７は、一緒になって、第一の永久磁石３０３および第二の永久磁石３０４の周囲にエンクロージャを画定する。
【００４０】
少なくとも１つのコイル３０８は、前記エンクロージャ内に位置する。この実施形態では、コイル３０８は、略リング状であり、第二の永久磁石３０４の周囲で、第二の永久磁石３０４と同じ平面内に配置される。換言すれば、軸線３０５は、コイル３０８の中心軸も表す。上部カバー３０６および下部カバー３０７によって形成されるエンクロージャ内にコイルを配置するための他の可能性が存在するが、これは、テキストの中で、より詳細に後述する。コイル３０８は、それを流れる電流の影響下で、軸線３０５方向に動的な磁力を生成するように構成される。音を生成するための配置では、電子デバイスは、電気信号（すなわち、形態および大きさが異なる電流）を音響変換器のコイル３０８に供給するように構成された電気回路を含む。
【００４１】
音響変換器は、上部カバー３０６のエッジと下部カバー３０７との間に離間ギャップ３０９を備える。離間ギャップ３０９は、本質的に軸線３０５方向に向けられている。これは、離間ギャップが構造の中心垂直軸に対して本質的に垂直であった図１および図２の従来から公知の音響変換器との顕著な違いである。図４の下部部品の部分拡大図に示すように、離間ギャップ３０９によって、下部カバー３０７および上部カバー３０６のエッジが異なる位置の間で軸線３０５方向に相対的な移動をすることが可能になる。これらの位置は、上部カバー３０６および下部カバー３０７のエッジが軸線３０５に垂直な方向に一致する程度で互いに異なる。例えば、図４の最も左側の部分拡大図では、上部カバー３０６および下部カバー３０７のエッジは、矢印４０４によって示される範囲で一致し、一方、中央および最も右側の部分拡大図では、それぞれ矢印４０４および４０５によって示される範囲で一致する。
【００４２】
図５は、音響変換器の３つの例示的な構造における合成静的磁力の比較を示す。横軸は、変換器の上部部品と下部部品との垂直方向の離間を表し、縦軸は、合成静的磁力が反発しているか、または吸引しているかを定性的に示す。合成静的磁力は、吸引静的磁力成分と反発静的磁力成分とのベクトル和であるが、簡略化のために垂直方向のみを考慮する。吸引静的磁力成分は、本質的に、磁場の一部、その磁力線が上部カバー１０６および下部カバー１０７の磁性材料に閉じ込められていることから生じる。反発静的磁力成分は、本質的に、磁場の一部、その磁力線が、音響変換器構造の中間において、互いに向かい合う同様に名付けられた磁極の間の自由空間を占有することから生じる。
【００４３】
図５に実線で示すグラフ５０１は、図１および図２に示し、背景技術の節で上述した従来から公知の音響変換器に対応する。このような構造では、垂直方向の離間のゼロ点（すなわち、水平軸のゼロ点）は、上部カバー１０６および下部カバー１０７のエッジが互いにスナップするところ、すなわち、ギャップ１０３が完全に閉じるところである。合成静的磁力がゼロとなる公称設計点５０２がある。図５に示すように、公称設計点５０２とゼロ点との間の全範囲において、グラフ５０１で表される合成静的磁力は、吸引される。これは、公知の構造における小さな垂直離間では、吸引静的磁力成分が反発静的磁力成分よりも優勢であることに起因する。吸引合成静的磁力は、垂直距離ゼロで最大である。これは、先に述べた公知の構造の課題を示している。例えば、不注意なユーザによって引き起こされた外力によって、音響変換器の部品があまりにも接近しすぎると、電子デバイスの構造部品によって引き起こされる弾性力が公称設計点５０２に戻そうとしたとしても、そこに戻ることができない場合がある。前記弾性力は、単に弱すぎて、ゼロ（または他の非常に短い）距離で強い吸引力に及ばないことがある。
【００４４】
図５に破線で示すグラフ５０３は、図３および図４に示す音響変換器構造に対応する。この場合、垂直方向の離間のゼロ点は、音響変換器の下部部品３０２が上部部品３０１の内側の非常に深くにあり、第二の永久磁石３０４またはコイル３０８のいずれか、あるいはその両方が第一の永久磁石３０３に接触することになる。グラフ５０３の公称設計点５０２は、グラフ５０１のそれと一致するように示されているが、これは、例示的な比較をするためだけであって、すべての場合において、公称設計点に対応する垂直方向の離間が、垂直方向の等しい離間で生じるべきであることを意味するものではない。
【００４５】
グラフ５０３は、図３および図４に示す構造が、公称設計点５０２において、自発的にバランスしようとする傾向を有することを示す。垂直方向の離間がより小さい場合、反発静的磁力成分が優勢になり、上部部品３０１と下部部品３０２とを押して、互いに遠ざけようとして、公称設計点５０２に向かう。垂直方向の離間がより大きい場合、吸引静的磁力成分が優勢になり、上部部品３０１と下部部品３０２とを引き寄せて、互いに近づけようとして、再び公称設計点５０２に向かう。より大きな垂直方向の離間、すなわち、グラフ５０３が再び横軸を横切る位置に別のバランス点が存在する可能性もあるが、それは、通常、電子デバイスの構造によって、どうしても到達することができない大きな距離である。
【００４６】
コイルを流れる電流がない状態で、上部部品と下部部品との間の垂直方向の離間が公称設計点５０２またはその近傍になるように、音響変換器およびその電子デバイスへの取り付けを設計することは、有利である。これは、合成される静的磁力が、公称設計点５０２の近傍で、その最小絶対値を有するので、コイルを流れる電流によって生成される既に比較的小さい動的磁力は、上部部品と下部部品との相対的な移動を生じさせるのに十分だからである（すなわち、動的磁力は、いかなる大きな静的磁力に対しても競う必要がない）。そのような繰り返される相対的な動きは、結局のところ、音響変換器が電子デバイスの適切な構造部分で振動モードを呼び出す方法であり、その結果、音響信号を放出する。小さな電流で十分な場合は、消費電力が比較的少ないので有利である。同じ理由で、音響変換器がその公称設計点５０２にあるとき、電子デバイスの構造部品を、それらがもたらす静的弾性力の合力もゼロになるように設計することが有利である。
【００４７】
上記で指摘したように、吸引静的磁力成分は、本質的に、磁場の一部、その磁力線が上部カバー１０６および下部カバー１０７の磁性材料に閉じ込められていることから生じる。吸引静的磁力成分の相対強度は、上部カバー３０６および下部カバー３０７のエッジがどの程度一致するかに依存する（図４の矢印４０４、４０５、４０６参照）。公称設計点５０２の位置、すなわち、上部カバー３０６および下部カバー３０７のエッジがちょうど適切に一致する垂直方向の離間は、吸引静的磁力成分と反発静的磁力成分とが等しくなるように、図３および図４に示す原理の実用的な実施のそれぞれについて、シミュレーションおよび実験を通して見出すことができる。
【００４８】
合成静的磁力は決して吸引することがないが、図５のグラフ５０４に従う代替実施形態を提供することも可能である。この種の実施形態は、例えば、シミュレーションおよび／または実験によって、カバーのエッジおよびギャップをそれに応じて寸法決めすることによって構築することができる。この種の「常に反発する」実施形態は、図５のグラフ５０４によって概略的に示されるように、合成静的磁力が距離の関数として、比較的ゆっくりとしか変化しないという利点を含み得る。電子デバイスの構造部品から発生する静的な機械的力は、構造を適切にバランスさせるために使用することができ、常に反発する力が音響変換器の上部部品と下部部品とを実用的な範囲で互いに移動させないようにする。
【００４９】
図３および図４は、音響変換器の様々な部分の概略図とみなされ、実際の実用化に向けた正確な位置を示すものではない。一般に、最も好ましくは、上部カバー３０６は、Ｕ字状（または、図に示されたのと逆向きをとると、逆Ｕ字状）を有すると言うことができる。第一の永久磁石３０３は、Ｕ字状ループの内側に位置する。前記Ｕ字状断面において、Ｕ字のアームの端部は、内側に突出する延長部４０３を備える。これらの延長部４０３の内側端部は、上部カバー３０６のエッジを画定する。これは、下部カバーのエッジと一致する程度を考慮する場合に重要である。下部カバー３０７は、プレート状断面を有し、プレートの外側エッジが下部カバー３０７の対応するエッジを規定する。第二の永久磁石３０４は、上部カバー３０６のＵ字状断面の内側に面するプレートのその側にある。
【００５０】
次に、図６〜図１２を参照して、いくつかの可能な、相互に代替的な実用的な実施形態について説明する。これらはすべて、図３および図４に示す軸線３０５を含む平面に沿った断面である。ここでも、図面は円筒対称性を示唆しているが、これは必要条件ではなく、単なる一例であることを再び想起されたい。様々な数の角を有する多角形の形態のような他の形態も可能である。
【００５１】
図６は、上部カバーが第一のカップ部品６０１および第二のカップ部品６０２を備える音響変換器を示す。これらのそれぞれは、スカート部分および端部分を有し、その結果、それぞれのＵ字状断面において、Ｕ字のアームはスカート部分を表し、Ｕ字の底部は端部分を表す。第二のカップ部品６０２は、第一のカップ部品６０１に対して反転した位置にある。図６において、これは、第二のカップ部品６０２の断面が実際のＵ字であり、第一のカップ部品６０１の断面が逆向きのＵ字であるように示されている。第一のカップ部品６０１および第二のカップ部品６０２のスカート部分は、それらの長さの大部分が互いに内側にある。正確には、図６の実施形態では、第二のカップ部品６０２のスカート部分は、第一のカップ部品６０１のスカート部分の内側にある。第二のカップ部品６０２の端部分は、開口部を有し、そのエッジは、概略的な図３および図４を参照して上述された上部カバーのエッジを画定する。
前記第一および第二のカップ部品の前記スカート部分は、少なくとも部分的に互いに内側にあってもよく、前記第二のカップ部品の端部分は、開口部を有し、そのエッジは、それぞれのカバーの前記エッジを画定する。
【００５２】
図７は、図６と同様の音響変換器を示すが、上部部品は、第一の永久磁石３０３と第一のカップ部品６０１の端部分との間に積み重ねられた磁性材料のシート７０１を備える点で異なる。
【００５３】
図８は、第二のカップ部品８０２のスカート部分が、第一のカップ部品６０１のスカート部分よりも著しく短い音響変換器を示す。その結果、第一のカップ部品６０１および第二のカップ部品８０２のスカート部分は、互いに部分的にのみ内側にある。正確には、第二のカップ部品８０２のスカート部分全体は、第一のカップ部品８０１のスカート部分の一部の内側にある。図９の音響変換器は、図８の音響変換器と同様であるが、図９では、上部部品は、第一の永久磁石３０３と第一のカップ部品６０１の端部分との間に積み重ねられた磁性材料のシート７０１を備える点で異なる。
【００５４】
一方では図６および図７の音響変換器、他方では図８および図９の音響変換器は、第一の永久磁石３０３と第二のカップ部品６０２または８０２との相対的な寸法に関して異なる。図６および図７の実施形態では、第一の永久磁石３０３は、第一のカップ部品６０１および第二のカップ部品６０２の両方のスカート部分の内側にある。図８および図９の実施形態では、第一のカップ部品６０１のスカート部分の長さが第二のカップ部品８０２のスカート部分の長さよりも長く、第一の永久磁石３０３は、第一のカップ部品６０１のスカート部分の内側にのみある。したがって、図８および図９の実施形態では、第一の永久磁石３０３および第二のカップ部品８０２は、実際には、第一のカップ部品６０１のスカート部分の内側に積み重ねられる。
【００５５】
図６〜図９に示す実施形態は、製造中にそれらの上部部品を組み立てることができる順序に関して、特定の相違点を有する。図８および図９の実施形態では、第一の永久磁石３０３を第一のカップ部品６０１に（場合によっては、それらの間に積み重ねられた磁性材料の追加のシート７０１とともに）取り付け、その後にのみ、第二のカップ部品８０２を追加し、第一および第二のカップ部品のスカート部分を一緒に取り付けることが比較的容易である。図６および図７の実施形態が同様の順序で組み立てられる場合、第一の永久磁石３０３は、取り付けるときに第一のカップ部品６０１と非常に注意深く位置合わせされる必要があり、その結果、第二のカップ部品６０２のスカート部分は、その後、その周りをスライドすることがある。図６および図７の実施形態を組み立てるより有利な順序は、最初に第一の永久磁石３０３（および場合によっては磁性材料の追加のシート７０１も）を第二のカップ部品６０２に取り付け、その後にのみ、このエンティティを第一のカップ部品６０１に取り付けることである可能性がある。
【００５６】
図１０および図１１は、さらなる代替実施形態による音響変換器を示す。図１０は、組み立てられた構成における音響変換器を示し、図１１は、互いに部分的に離間されたその部品を示す。また、この実施形態では、上部カバーは、第一のカップ部品１００１および第二のカップ部品１００２を備え、そのそれぞれがスカート部分および端部分を有する。この実施形態では、第二のカップ部品１００２は、第一のカップ部品１００１（両方とも、断面が逆Ｕ字として見られる）と同様に配向された位置で、その内側にある。第二のカップ部品１００２のスカート部分は、スカート部分の中間長手方向レベルにあるスカート部分の穿孔ゾーン１１０１を備える。さらに、それは、第二のカップ部品１００２の端部と反対側のスカート部分の端部分に中実ゾーン１１０２を備える。
【００５７】
中実ゾーン１１０２は、概略的な図３および図４を参照して上述した上部カバーのエッジを画定する。これは、固体材料の非常に大きな割合が除去されて、穿孔ゾーン１１０１となった結果であり、そうでなければ、第２のカップ部品１００２の磁性材料に限定されていた磁力線の大部分が第一のカップ部品１００１のスカート部分を通って穿孔ゾーン１１０１を通過しなければならない。
【００５８】
図１０および図１１に示す実施形態は、第一の永久磁石３０３とは別に、成形して、磁性体と一緒に取り付けることを含む上部カバーの全ての製造段階が、第一の永久磁石３０３を取り付ける前に完了することができるという利点を有する。
【００５９】
図１２は、さらなる代替実施形態による音響変換器を示す。図１２において、上部カバーは、一端（上部）が端部分によって閉じられ、他端（下部）が開かれたスカート部分を有する第一のカップ部品１２０１を備えるこのように、第一のカップ部品１２０１は、上述の他の実施形態における第一のカップ部品に非常によく似ている。しかしながら、図１２の実施形態では、第二のカップ部品はない。その代わりに、上部カバーは、外側リムと内側リムとを有するワッシャ部品１２０２を備える。内側リムは、第一のカップ部品１２０１のスカート部分の内側寸法よりも小さい開口部を画定する。ワッシャ部品１２０２は、第一のカップ部品１２０１と同心で、第一のカップ部品１２０１のスカート部分の開放端に取り付けられる。したがって、ワッシャ部品１２０２の内側リムは、概略的な図３および図４を参照して上述した上部カバーのエッジも画定する。
【００６０】
必要であれば、図１２に示す実施形態は、第一のカップ部品１２０１の端部分と第一の永久磁石３０３との間に、磁性材料の追加のシートを用いて増大させることができる。図１２に示す実施形態には、追加の利点を伴う。上部カバーの重要なエッジがワッシャ部品１２０２によってのみ画定されるため、エッジの厚さ、形状、および他の特性を、他の多くの実施形態よりも自由に選択できるからである。
【００６１】
図６〜図１２に示す実施形態には、多くのバリエーションを行うことができる。例えば、図６〜図９の実施形態のような実施形態では、第一のカップ部品のスカート部分が第二のカップ部品のスカート部分の内側に入るように、スカート部分の内径を反対方向に選択することが可能もある。また、第一に、上部カバーを２つの別個の部品で構成する必要がない。たとえ、第一の永久磁石で利用可能な空間を最大限に満たしたいとしても、まず、直線状のスカート部分を有するカップ状上部カバーを作製し、第一の永久磁石を所定の位置に取り付け、その後にのみ、スカート部分の自由エッジを内側に曲げて、概略的な図３および図４を参照して上述した上部カバーのエッジを作製することが可能である。
【００６２】
図６〜図１２の実施形態では、様々なカップ部品は、例えば、打抜き加工またはプレス加工によって、磁性金属の薄いシートで作ることができる。金属シートが薄ければ薄いほど、きっちりと正確に、形成してカップ状の形状にしやすくなる。しかしながら、上部カバーおよび下部カバーは、関係する磁界の磁力線を閉じ込めることを目的としているので、任意に薄くすることは有利ではない。その理由は、薄い材料層は、厚い材料層よりも磁力線を閉じ込める効果が低いからである。例えば、図７および図９の実施形態では、磁性材料のシート７０１を追加する目的は、材料の厚さを追加することであり、その結果として、上部カバーの最上部分の磁力線を閉じ込める能力を向上させることである。磁性材料の総厚さを最大にすることを狙って、図６、図７、図１０および図１１のような実施形態も提唱されている。ここでは、２つのカップ部品のスカート部分は、それらの両方の長さの大部分で互いに内側にある。一例として、図６〜図１２の実施形態のような実施形態では、金属シートから打抜き加工またはプレス加工によって作製された任意の単一の磁性材料片の壁厚は、０．２〜１．０ｍｍのオーダー、好ましくは、これらの端部も含めて、０．５〜０．７５ｍｍであり得る。
【００６３】
出発点として金属シートを用い、製造方法としてプレス加工または打抜き加工を用いることが、唯一の可能な選択肢ではない。カップ部品、または実際には音響変換器の上部部品および下部部品の任意の機械的構成要素を、例えば、ブランクからのフライス削りによって、あるいは３Ｄ印刷などの付加製造方法によって製造することも可能である。
【００６４】
第一の永久磁石と、第二の永久磁石またはコイルのいずれかの最上部（または、それらが同じレベルにある場合、両方）との間の垂直方向の離間は、数百マイクロメートルのオーダー、例えば、図５の説明において上記で言及された公称設計点で４００μｍであり得る。音響周波数での振動が生成されるときに、上部部品と下部部品との相対的な垂直方向の動きは、わずか数マイクロメートルのオーダーよりもはるかに小さくてもよく、または、最低の所望の周波数では、数十マイクロメートルのオーダーよりもはるかに小さくてもよい。ギャップ３０９（図３参照）における上部部品と下部部品とのエッジ間の最短距離は、有利には、数十または数百マイクロメートルのオーダーであり、例えば、５０μｍ〜５００μｍの間である。ギャップを小さくすることは、吸引静的磁力成分が所望の動作方法に効果的に寄与するようにする点では有利であるが、製造方法の達成可能な精度によっては、ギャップを小さくすることには限界がある。
【００６５】
音響変換器の意図された動作に関して、上部部品と下部部品とが水平方向に移動するのを防ぎながら、互いに垂直方向（軸線３０５の方向）に非常に自由に移動できるようにすることが有利である。有利なことに、音響変換器は、軸線３０５に垂直な方向への上部部品３０１と下部部品３０２との相対的な移動に抵抗するように構成され、同時に、軸線３０５の方向への上部部品３０１と下部部品３０２との相対的な移動を可能にするように構成された支持部材を備えてもよい。
【００６６】
図１３に、音を生成するための配置を模式的に示す。この配置は、第一の構造部品４０１および第二の構造部品４０２を有する電子デバイスと、上述した種類の音響変換器とを備える。図４で、音響変換器に使用されている概略図タイプのグラフ表現は、この例示的な実施形態が、音響変換器のいかなる特定の実際の実装にも限定されないことを強調している。音響変換器の上部部品３０１は、第一の構造部品４０１に取り付けられ、音響変換器の下部部品３０２は、電子デバイスの第二の構造部品４０２に取り付けられる。図１３には示されていないが。電子デバイスは、電気信号を音響変換器の少なくとも１つのコイルに供給するように構成された電気回路を備えるものと想定されている。
【００６７】
支持部材１３０１は、図１３に概略的に示されている。上述のように、支持部材１３０１は、軸線３０５に垂直な方向への上部部品３０１と下部部品３０２との相対的な移動に抵抗するように構成され、同時に、軸線３０５の方向への上部部品３０１と下部部品３０２との相対的な移動を可能にするように構成される。この実施形態では、支持部材１３０１は、下部部品３０２を電子デバイスの第二の構造部品４０２に取り付ける配置の一部である。より正確には、この実施形態では、支持部材１３０１は、下部部品３０２と第二の構造部品４０２との間に積み重ねられる。
【００６８】
図１４は、支持部材１３０１の一例を示す。この実施形態によれば、支持部材１３０１は、多分岐渦巻きバネを備える。図１３に示す方法で使用される場合、多分岐渦巻きバネ１３０１の中央部分１４０１は、下部部品３０２に取り付けられ、前記多分岐渦巻きバネ１３０１の端部１４０２は、上部部品３０１に取り付けられている。渦巻きバネ１３０１の分岐は、半径方向に非常に剛直であると想定され、それによって、軸線３０５に垂直な方向への上部部品３０１と下部部品３０２との望ましくない相対的な移動を効果的に阻止する。同時に、渦巻きバネ１３０１の分岐は、横方向に非常に延性があるので、軸線３０５に垂直な方向への上部部品３０１と下部部品３０２との相対的な移動に対してほとんど抵抗しない。多分岐渦巻きバネの代わりに、円形、十字形、または星形の板バネを支持部材として使用することも可能である。
【００６９】
図１５は、支持部材が、上部部品３０１および下部部品３０２に取り付けられ、ギャップ３０９を橋渡しする箔１５０１を備える代替実施形態を示す。箔１５０１は、箔自体に平行な力の下では、ほとんど伸びることがないが、箔に垂直な力の下では比較的容易に曲がることができるものと想定される。少なくとも数学的に正確な意味では、上部部品３０１と下部部品３０２とが任意の相対的な垂直変位をするためには、箔１５０１も伸ばす必要があるが、必要な垂直変位の大きさは、マイクロメートルのオーダーであり得、一方、ギャップ３０９の幅は、数百マイクロメートルであり得る。これらの寸法の相対的な大きさは、箔１５０１が、そのような垂直変位を可能にするために必要な伸びの量が、極端に小さいことを意味する。図１５はまた、この例示的な実施形態において、第一の構造部品１５０２および第二の構造部品１５０３が、箔１５０１の下にどのように位置し得るか（または少なくともいくつかの部分が延びるか）を示す。
【００７０】
１つの例示的な実施形態によれば、箔１５０１の少なくとも一部は、音響変換器内の少なくとも１つのコイル３０８に電気信号を伝導するためのフレキシブルプリント回路を構成してもよい。そのような場合、箔１５０１の少なくとも一部は、音響変換器からさらに延び、および／または図１５に示す１つまたは複数の構造部品は、そのような部品を通して電気信号を伝導するために必要な導電性ビアを有するであろう。
【００７１】
電子デバイスの構造部品は、音響変換器の上部部品と下部部品との意図された相対的垂直運動を不必要に干渉しないように形成されなければならない。図１３の実施形態において、これは、第二の構造部品４０２を隆起部分１３０２から構成することによって達成されており、この隆起部分には、例えば、糊またはテープであり得る取付け層１３０３が取り付けられている。取付け層１３０３は、また、超音波溶接のような他の形態の取付けを備えてもよい。
【００７２】
図１３は、先の図４と同様に、１つの可能性は、第一の構造部品４０１が、電子デバイスのディスプレイなどの電子デバイスの可視外面を備えることである。第二の構造部品４０２は、例えば、電子デバイスの構造支持フレームの一部を備えることができる。
【００７３】
音響変換器は、その上部の垂直運動を電子デバイスの構造部品の振動モードに変換して音を発生させることを目的としており、その上部は、全ての場合において、そのような構造部品に取り付けられている。このような取付けがどのように行うかは、音をどの程度効果的に、どの主観的な品質レベルで生成できるかに重大な影響を及ぼすことがある。このことは、全ての音響変換器について、また図１および図２に示され、前述の背景技術の節で説明した音響変換器についても、一般的に当てはまる。電子デバイスの構造部品に誘起される振動モードは、二次元モードで、その両次元に複数の波長を有するモードも含め、非常に複雑になり得る。基本的な傾向として、生成される音の周波数が高いほど、より複雑な振動モードが音の生成に関与し得るということである。
【００７４】
図１〜図４、図６〜図１３、および図１５を参照して上述したような実施形態では、上部部品の上面の特徴的な横方向寸法は、１５〜２０ｍｍのようなものとすることができる。音響変換器が円筒対称性を示す場合、上部部品の上面は円形であるため、その特徴的な横方向寸法は、その直径である。カップ部品の端部分の密に積層された構成、可能な追加の磁性材料シート、および第一の永久磁石のために、上部部品は、比較的剛性であってもよい。電子デバイスの第一の構造部品に、その上面全体にわたって堅固に取り付けられている場合、これは、電子デバイスの第一の構造部品の対応する部分が完全に堅固なままであることを意味するが、その円形部分が全体として垂直に前後に振動する以外の方法で振動し得るこのような振動モードが発生することを除く。特定の状況下では、例えば、電子デバイスのディスプレイ（または他の第一の構造部品）が小さい場合、オーディオ品質が最適にならないことがある。
【００７５】
上記の欠点を伴わずに、音を生成するための配置を提供することが有利であろう。この配置は、第一および第二の構造部品を有する電子デバイスと、音響変換器とを備えるべきであり、音響変換器の上部部品が第一の構造部品に取り付けられ、その下部部品が第二の構造部品に取り付けられる。電子デバイスの一部として、電子回路が設けられるべきであり、この電子回路は、電気信号を音響変換器の少なくとも１つのコイルに供給するように構成される。
【００７６】
一態様によれば、上述の有利な目的は、図１６に概略的に示す原理に従って達成される。ここで、図３および図４を参照して前述した種類の音響変換器が例として使用されるが、図１６に示される原理は、図１および図２を参照して前述した種類の音響変換器での使用にも適用可能であることに留意されたい。
【００７７】
図１６の原理では、音響変換器の上部部品３０１は、電子デバイスの第一の構造部品４０１に取り付けられる側に、第一の横方向寸法Ｄ１を有する。この配置は、上部部品３０１と第一の構造部品４０１との間に本質的に非弾性の第一の取付け部材１６０１を備えるが、これは、軸線３０５の方向への前記上部部品３０１の動きを前記第一の構造部分４０１に伝達するためである。第一の取付け部材１６０１は、前記第一の横方向寸法Ｄ１よりも小さい第二の横方向寸法Ｄ２を有する。
【００７８】
第一の取付け部材１６０１は、上部部品３０１と第一の構造部品４０１との間に配置された別個の部品で、金属または硬質プラスチックのディスクのような部品であってもよい。あるいは、上部部品３０１の一体部分であってもよい。例えば、上部部品３０１のカップ状外側部品が、中実ブランクから機械加工され、その中心に隆起部分が残されるような場合である。
【００７９】
上部部品３０１と第一の構造部品４０１との間に、若干小さな取付け部材１６０１を使用する効果は、第一の構造部品４０１の特徴的な横寸法Ｄ２を有する部分のみが剛性を保つことである。第一の構造部品４０１の他の全ての部分は、所望の音を生成するための任意の振動モードに関与してもよい。
【００８０】
図１６に示す実施形態において、配置は、第一の取付け部品１６０１によって覆われていない上部部品３０１および第一の構造部品３０１のそれらの部分の間に、本質的に弾性の第二の取付け部材１６０２を備える。第二の取付け部材１６０２は、上部部品３０１を安定させて、第一の構造部品４０１に対して傾斜しないようにするために設けられる。図１７は、異なる種類の第二の取付け部材１７０１が同じ目的のために提供される代替実施形態を示す。図１６では、第二の支持部品１６０２は、弾性変形可能な緩衝材料からなり、図１７では、第二の支持部品１７０１は、上部部品３０２の特徴的な横方向寸法Ｄ１よりも第一の構造部品４０１上にさらに延びるバネ分岐を備える。
【００８１】
図１６および図１７に示されるさらなる任意選択の特徴は、電子デバイスの上部部品３０１と第一の構造部品４０１との間に配置される支持シート１６０３である。支持シート１６０３は、ここでは、第一および第二の取付け部材とともに使用されて示されているが、それらがない実施形態においても使用することができる（例えば、図１３の支持シート１３０５を参照）。支持シートの目的は、第一の構造部品４０１の局所的な弾性特性を、上部部品３０１によって、そこに伝達される動きに適合させることである。特に、第一の取付け部材１６０１を使用する場合、第一の構造部品４０１が過剰な点状荷重を受け易くなる可能性があるので、支持シート１６０３を使用して、その十分な構造強度を確保することができる。
【００８２】
図１８は、支持ストラット１８０１が、その下部部品３０２を通って、上部部品３０１内の上部カバーの内面まで、音響変換器の中心軸に沿って延びる代替実施形態を示す。
【００８３】
上述のほとんどの実施形態では、上部カバーは、Ｕ字状断面を有するが、既に指摘したように、これを「上部」カバーと呼ぶことは、図面に示されている向きのみを指す。上記の音響変換器のいずれかを上下逆にすることが可能なので、その結果、このＵ字状断面を有するカバーは、「下部」カバーとして見なされる。
【００８４】
図１９は、一実施形態による音響変換器を示す。図２０は、同一の音響変換器を部分分解図で示す。この実施形態による音響変換器は、上部部品３０１および下部部品３０２を備える。第一の永久磁石３０３は上部部品３０１内に位置し、第二の永久磁石３０４は下部部品３０２内に位置する。第一の永久磁石３０３および第二の永久磁石３０４の同様に命名された磁極は、軸線３０５の方向で互いに向かい合う。上部部品３０１には上部カバー３０６があり、下部部品３０２には下部カバー３０７がある。上部カバー３０６および下部カバー３０７は、磁性材料を備え、一緒になって、第一の永久磁石３０３および第二の永久磁石３０４の周囲にエンクロージャを画定する。コイル３０８は、このエンクロージャ内で、ここでは、下部部品３０２内に位置する。コイル３０８は、そこを流れる電流の影響下で、軸線３０５方向に動的な磁力を生成するように構成される。
【００８５】
上部カバー３０６のエッジと下部カバー３０７のエッジとの間の離間ギャップ３０９は、本質的に軸線３０５方向に向けられる。こうして、下部カバー３０７および上部カバー３０６のエッジが異なる位置の間で軸線３０５方向に相対的な移動をすることが可能になる。特に、このような位置は、上部カバー３０６及び下部カバー３０７のエッジが軸線３０５に垂直な方向に一致する程度で異なる。
【００８６】
図１９および図２０の実施形態では、下部カバー３０７は、Ｕ字状断面を有し、第二の永久磁石３０４は、Ｕ字のループの内側に位置する。この非常に単純な実施形態では、Ｕ字のアームの端部は、下部カバー３０７のエッジを画定する内側端部を有する内側に突出する延長部を全く含まない。このような内側に突出する延長部は、上記の定義によってさえ必要とされない。この定義によれば、上部カバーおよび下部カバーの可能な相対的位置が、カバーのエッジが垂直方向に一致する程度が異なる。上記の定義はここで満たされ、上部部品３０１が図１９に示す位置から下向きに移動すると、上部カバー３０６のエッジの大部分は、ギャップ３０９を直接横切って、下部カバー３０７の内側に直接向くようになる。これに対応して、図１９の上部部品３０１が上向きに移動すると、下部カバー３０７によって形成された「カップ」から移動し、その結果、上部カバー３０６のエッジのより小さな割合が、ギャップ３０９を直接横切って、下部カバー３０７の内側に面する。
【００８７】
同様に、図３〜図４、図６〜図１３、および図１５〜図１８に示す実施形態は、上部カバーのＵ字状断面のアームの端部に内側に突出する延長部を有するが、これらの実施形態においても、構造は、図１９および図２０のＵ字状下部カバーの構造に似るように、若干簡略化することができることに留意されたい。内側に突出する延長部は、音響変換器の特性に対する所望のバランス効果を達成するのに役立ち得るが、これらは、本明細書に記載される動作原理を実装するために必要ではない。
【００８８】
逆に、図１９および図２０の下部カバー３０７のＵ字状断面のアームの端部に内側に突出する延長部を追加することも可能である。一例として、上部カバーのＵ字状断面に関して図６〜図１２で先に紹介した構造的解決策のいずれかを使用することができる。
【００８９】
図１９および図２０に示される１つの追加の特徴は、下部カバー３０７の中心にある開口部１９０１である。全ての実施形態において、軸線３０５の周りの中央に位置する同様の開口部を、上部カバーおよび下部カバーのいずれかにおいて使用することができる。このような開口部は、永久磁石の磁力線を最適な方法で方向付ける際に有利な効果を生み出すために使用されてもよい。
【００９０】
上部カバーおよび下部カバーのどちらがＵ字状断面を有するかに直接依存しない上述の特徴は、図１９および図２０に示す実施形態のように適用することができる。そのような特徴の例は、支持部材１３０１および１５０１も、図１３および図１６〜図１８に示す取付け技術も、さらには、１５０２として示される構造部品を、図１９および図２０の音響変換器の頂部（図に示す向きを参照して）に、ただ１つ配置する場合には、図１５の取付け技術さえも含むが、それらに限定されない。
【００９１】
実施形態の興味深い追加分野には、音響変換器として上述されたデバイスを使用して、音を生成する以外の目的のための振動デバイスを構築することを含む。第一の例として、振動デバイスは、振動アラートを生成するために使用することができる。これは、多くの携帯通信デバイスが中心から外れた錘に接続された電気モーター使用する方法に似ている。この目的のために、デバイスの下部部品は、上述の実施形態と同様に、電子デバイスの構造部品に取り付けることができる。ディスプレイまたは他の構造部品の内側に上部部品を取り付ける代わりに、１つまたは複数の適切な機械的共振周波数を達成するために、おそらく、いくつかの追加の錘が取り付けられた状態で、デバイスの上部部品を自由にしておくことができる。
【００９２】
別の例として、振動デバイスは、タッチすることを含むユーザインターフェースの一部として触覚効果（ｈａｐｔｉｃ  ｅｆｆｅｃｔｓ）を生成するために使用され得る。人の触覚は、意図的に誤解を招く可能性があり、その結果、例えば、実際には、人は、比較的高周波の振動を含む適切に設計された短期波形の形態で、触覚フィードバックだけを受け取る場合でも、人がキーを押す感覚を得ることが分かっている。この目的のために、電子デバイスの構造部品への取付けは、様々な図面を参照して上述したものに類似することができるが、部品の弾性特性および電子信号は、触覚効果の最適化のために設計されたコイルに導かれる。
【００９３】
技術の進歩に伴い、本考案の基本的な概念を様々な方法で実施することができることは、当業者には明らかである。したがって、本考案およびその実施形態は、上述の例に限定されず、その代わりに、実用新案登録請求の範囲内で変更することができる。一例として、１つのコイルのみが実施形態で記載されていたとしても、２つ以上のコイルが存在し得る。例えば、１つのコイルが、その記載された実施形態のように第二の永久磁石の周囲に存在し、別のコイルが、第一の永久磁石の周囲に存在する。さらに、コイルが常に永久磁石の周りにあることは必要条件ではないが、そのような配置は、構造の垂直寸法を小さく保つのに役立つ。永久磁石間の空間に、少なくとも１つのコイルを配置することができた。さらに別の方法として、永久磁石の少なくとも１つは、リングの内側に配置されたコイルでリング形成することができる。
【図１】
0003233861.tif 000003
【図２】
0003233861.tif 000004
【図３】
0003233861.tif 000005
【図４】
0003233861.tif 000006
【図５】
0003233861.tif 000007
【図６】
0003233861.tif 000008
【図７】
0003233861.tif 000009
【図８】
0003233861.tif 000010
【図９】
0003233861.tif 000011
【図１０】
0003233861.tif 000012
【図１１】
0003233861.tif 000013
【図１２】
0003233861.tif 000014
【図１３】
0003233861.tif 000015
【図１４】
0003233861.tif 000016
【図１５】
0003233861.tif 000017
【図１６】
0003233861.tif 000018
【図１７】
0003233861.tif 000019
【図１８】
0003233861.tif 000020
【図１９】
0003233861.tif 000021
【図２０】
0003233861.tif 000022
【手続補正書】
【提出日】令和3年3月26日(2021.3.26)
【手続補正１】
【補正対象書類名】実用新案登録請求の範囲
【補正対象項目名】全文
【補正方法】変更
【補正の内容】
【実用新案登録請求の範囲】
【請求項１】
電気信号を音響周波数上の機械的振動に変換するための音響変換器であって、前記音響変換器が、
・上部部品（３０１）および下部部品（３０２）と、
・前記上部部品（３０１）内に位置する第一の永久磁石（３０３）と、前記下部部品（３０２）内に位置する第二の永久磁石（３０４）であって、前記第一および第二の永久磁石（３０３、３０４）の同様に命名された磁極は軸線（３０５）の方向で互いに向かい合う、第一および第二の永久磁石（３０３、３０４）と、
・上部部品（３０１）内の上部カバー（３０６）および下部部品（３０２）内の下部カバー（３０７）であって、前記上部カバーおよび前記下部カバー（３０６、３０７）は、磁性材料を備え、一緒になって、前記第一および第二の永久磁石（３０３、３０４）の周囲にエンクロージャを画定する、上部カバーおよび下部カバー（３０６、３０７）と、
・前記エンクロージャ内に位置する少なくとも１つのコイル（３０８）であって、前記コイル（３０８）を流れる電流の影響下で、前記軸線（３０５）の方向に動的磁力を生成するように構成された、少なくとも１つのコイル（３０８）と、
を備え、
・前記上部カバー（３０６）と前記下部カバー（３０７）とのエッジの間の離間ギャップ（３０９）によって、本質的に前記軸線（３０５）方向に向けられ、前記下部カバー（３０７）および前記上部カバー（３０６）の前記エッジが異なる位置の間で前記軸線（３０５）の方向に相対的な移動をすることが可能になり、前記位置は、前記上部カバー（３０６）および前記下部カバー（３０７）の前記エッジが前記軸線（３０５）に垂直な方向に一致する程度が異なる、
音響変換器。
【請求項２】
・前記上部カバー（３０６）はＵ字状断面を有し、前記第一の永久磁石（３０３）が前記Ｕ字の前記ループの内側に位置し、
・前記下部カバー（３０７）はプレート状断面を有し、前記プレートの外側エッジが前記下部カバー（３０７）の前記エッジを画定し、
・前記第二の永久磁石（３０４）は、前記上部カバー（３０６）の前記Ｕ字状断面の前記内側に面する前記プレートのその側にある、請求項１に記載の音響変換器。
【請求項３】
・前記下部カバー（３０７）はＵ字状断面を有し、前記第二の永久磁石（３０４）が前記Ｕ字の前記ループの内側に位置し、
・前記上部カバー（３０６）はプレート状断面を有し、前記プレートの外側エッジが前記上部カバー（３０６）の前記エッジを画定し、
・前記第一の永久磁石（３０４）は、前記下部カバー（３０６）の前記Ｕ字状断面の内側に面する前記プレートのその側にある、
請求項１に記載の音響変換器。
【請求項４】
・前記Ｕ字状断面において、前記Ｕ字のアームの端部は、内側に突出する延長部（４０３）を備え、前記延長部（４０３）の内側端部は、それぞれの前記カバー（３０６、３０７）のエッジを画定する、
請求項２または３に記載の音響変換器。
【請求項５】
・前記Ｕ字状断面を有する前記カバー（３０６、３０７）は、第一のカップ部品（６０１）および第二のカップ部品（６０２、８０２）を備え、それぞれがスカート部分および端部分を有し、
・前記第二のカップ部品（６０２、８０２）は、前記第一のカップ部品（６０１）に対して反転した位置にあり、
・前記第一および第二のカップ部品（６０１、６０２、８０２）の前記スカート部分は、少なくとも部分的に互いに内側にあり、
・前記第二のカップ部品（６０２、８０２）の端部分は、開口部を有し、そのエッジは、前記Ｕ字状断面を有する前記カバー（３０６、３０７）の前記エッジを画定する、
請求項４に記載の音響変換器。
【請求項６】
・前記第一および第二のカップ部品（６０１、６０２）の前記スカート部分は、前記第一および第二のカップ部品（６０１、６０２）の両方の前記スカート部分の長さの大部分にわたって互いに内側にあり、
・それぞれの前記永久磁石（３０３）は、前記第一および第二のカップ部品（６０１、６０２）の両方の前記スカート部分の内側にある、
請求項５に記載の音響変換器。
【請求項７】
・前記第一のカップ部品（６０１）の前記スカート部分の長さは、前記第二のカップ部品（８０２）の前記スカート部分の長さよりも長く、
・それぞれの前記永久磁石（３０３）は、前記第一のカップ部品（６０１）の前記スカート部分の内側にあり、
・それぞれの前記永久磁石（３０３）および前記第二のカップ部品（８０２）は、前記第一のカップ部品（６０１）の前記スカート部分の内側に積み重ねられる、
請求項５に記載の音響変換器。
【請求項８】
・磁性材料のシート（７０１）が、それぞれの前記永久磁石（３０３）と前記第一のカップ部品（６０１）の端部分との間に積み重ねられる、
請求項５〜７のいずれか一項に記載の音響変換器。
【請求項９】
・前記Ｕ字状断面を有する前記カバー（３０６、３０７）は、第一のカップ部品（１００１）および第二のカップ部品（１００２）を備え、それぞれがスカート部分および端部分を有し、
・前記第二のカップ部品（１００２）は、前記第一のカップ部品（１００１）に対して、前記第一のカップ部品（１００１）の内側で、同様に配向された位置にあり、
・前記第二のカップ部品（１００２）の前記スカート部分は、前記スカート部分の中間長手方向レベルにある前記スカート部分の穿孔ゾーン（１１０１）を備え、
・前記第二のカップ部品（１００２）の前記スカート部分は、前記端部分と反対側の端部に中実ゾーン（１１０２）を備え、前記中実ゾーン（１１０２）は、前記Ｕ字状断面を有する前記カバー（３０６、３０７）の前記エッジを画定する、
請求項４に記載の音響変換器。
【請求項１０】
・前記Ｕ字状断面を有する前記カバー（３０６、３０７）は、一端が端部分によって閉鎖され、他端が開放されたスカート部分を有する第一のカップ部品（１２０１）を備え、
・前記Ｕ字状断面を有する前記カバー（３０６、３０７）は、外側リムおよび内側リムを有するワッシャ部品（１２０２）を備え、前記内側リムは、前記スカート部分の内側寸法よりも小さい開口部を画定し、
・前記ワッシャ部品（１２０２）は、前記第一のカップ部品（１２０１）と同心で、前記スカート部分の開放端に取り付けられ、その結果、前記ワッシャ部品（１２０２）の前記内側リムは、前記Ｕ字状断面を有する前記カバー（３０６、３０７）の前記エッジを画定する、
請求項２に記載の音響変換器。
【請求項１１】
前記軸線（３０５）に垂直な方向への前記上部部品と前記下部部品（３０１、３０２）との相対的な移動に抵抗するように構成され、同時に前記軸線（３０５）の方向への前記上部部品と前記下部部品（３０１、３０２）との相対的な移動を可能にするように構成された支持部材（１３０１、１５０１）を備える、請求項１〜１０のいずれか一項に記載の音響変換器。
【請求項１２】
前記支持部材が多分岐渦巻きバネ（１３０１）を備え、前記多分岐渦巻きバネ（１３０１）の中心部分（１４０１）は、前記上部部品および前記下部部品（３０１、３０２）の一方に取り付けられ、前記多分岐渦巻きバネ（１３０１）の端部（１４０２）は、前記上部部品および前記下部部品（３０１、３０２）の他方に取り付けられる、請求項１１に記載の音響変換器。
【請求項１３】
前記支持部材は、前記上部部品および前記下部部品（３０１、３０２）に取り付けられ、前記離間ギャップ（３０９）を橋渡しする箔（１５０１）を備える、請求項１１に記載の音響変換器。
【請求項１４】
前記箔（１５０１）の少なくとも一部が、前記少なくとも１つのコイル（３０８）に電気信号を伝導するためのフレキシブルプリント回路を構成する、請求項１３に記載の音響変換器。
【請求項１５】
・第一および第二の構造部品（４０１、４０２）を有する電子デバイスと、
・少なくとも１つの、請求項１〜１４のいずれか一項に記載の音響変換器であって、前記音響変換器の前記上部部品（３０１）は、前記第一の構造部品（４０１）に取り付けられ、前記音響変換器の前記下部部品（３０２）は、前記電子デバイスの前記第二の構造部品（４０２）に取り付けられる、少なくとも１つの音響変換器と、
・前記電子デバイスの一部として、前記音響変換器の前記少なくとも１つのコイル（３０８）に電気信号を供給するように構成された電気回路と、
を備える、音を生成するための配置。
【請求項１６】
前記第一の構造部品（４０１）は、前記電子デバイスのディスプレイなどの前記電子デバイスの可視外面を備える、請求項１５に記載の配置。
【請求項１７】
前記第二の構造部品（４０２）は、前記電子デバイスの構造支持フレームの一部を備える、請求項１５または１６に記載の配置。
【請求項１８】
・前記音響変換器の前記上部部品（３０１）は、前記上部部品（３０１）が前記第一の構造部品（４０１）に取り付けられるその側に、第一の横方向寸法（Ｄ１）を有し、
・前記配置は、前記上部部品（３０１）と前記第一の構造部品（４０１）との間に、前記軸線（３０５）の方向に前記上部部品（３０１）の動きを前記第一の構造部品（４０１）内に伝達するための本質的に非弾性の第一の取付け部材（１６０１）を備え、
・前記第一の取付け部材（１６０１）は、前記第一の横方向寸法（Ｄ１）よりも小さい第二の横方向寸法（Ｄ２）を有する、
請求項１５〜１７のいずれか一項に記載の配置。
【請求項１９】
・前記配置は、前記第一の構造部品（４０１）に対して傾斜しないように前記上部部品（３０１）を安定させるために、前記第一の取付け部分（１６０１）によって覆われていない前記上部部品（３０１）および前記第一の構造部品（３０１）のそれらの部分の間に、本質的に弾性の第二の取付け部材（１６０２、１７０１）を備える、
請求項１８に記載の配置。
【請求項２０】
前記第二の取付け部材（１６０２、１７０１）は、弾性変形可能な緩衝材料（１６０２）、前記上部部品（３０１）の前記第一の横方向寸法（Ｄ１）よりも前記第一の構造部品（４０１）上にさらに延びるバネ分岐（１７０１）のうちの少なくとも１つを備える、請求項１９に記載の配置。
【請求項２１】
前記第一の構造部品（４０１）の局所的な弾性特性を前記上部部品（３０１）によって伝達される動きに合わせるために、前記上部部品（３０１）と前記第一の構造部品（４０１）との間に支持シート（１６０３）を備える、請求項１５〜２０のいずれか一項に記載の配置。
【手続補正書】
【提出日】令和3年6月29日(2021.6.29)
【手続補正１】
【補正対象書類名】実用新案登録請求の範囲
【補正対象項目名】全文
【補正方法】変更
【補正の内容】
【実用新案登録請求の範囲】
【請求項１】
電気信号を音響周波数上の機械的振動に変換するための音響変換器であって、前記音響変換器が、
・上部部品（３０１）および下部部品（３０２）と、
・前記上部部品（３０１）内に位置する第一の永久磁石（３０３）と、前記下部部品（３０２）内に位置する第二の永久磁石（３０４）であって、前記第一および第二の永久磁石（３０３、３０４）の同種の磁極は軸線（３０５）の方向で互いに向かい合う、第一および第二の永久磁石（３０３、３０４）と、
・上部部品（３０１）内の上部カバー（３０６）および下部部品（３０２）内の下部カバー（３０７）であって、前記上部カバーおよび前記下部カバー（３０６、３０７）は、磁性材料を備え、一緒になって、前記第一および第二の永久磁石（３０３、３０４）の周囲にエンクロージャを画定する、上部カバーおよび下部カバー（３０６、３０７）と、
・前記エンクロージャ内に位置する少なくとも１つのコイル（３０８）であって、前記コイル（３０８）を流れる電流の影響下で、前記軸線（３０５）の方向に動的磁力を生成するように構成された、少なくとも１つのコイル（３０８）と、
を備え、
・前記上部カバー（３０６）と前記下部カバー（３０７）とのエッジの間の、本質的に前記軸線（３０５）方向に向けられた離間ギャップ（３０９）によって、前記下部カバー（３０７）および前記上部カバー（３０６）の前記エッジが異なる位置の間で前記軸線（３０５）の方向に相対的な移動をすることが可能になり、前記位置は、前記上部カバー（３０６）および前記下部カバー（３０７）の前記エッジが前記軸線（３０５）に垂直な方向に一致する程度が異なる、
音響変換器。
【請求項２】
・前記上部カバー（３０６）はＵ字状断面を有し、前記第一の永久磁石（３０３）が前記Ｕ字のループの内側に位置し、
・前記下部カバー（３０７）はプレート状断面を有し、前記プレートの外側エッジが前記下部カバー（３０７）の前記エッジを画定し、
・前記第二の永久磁石（３０４）は、前記上部カバー（３０６）の前記Ｕ字状断面の前記内側に面する前記プレートのその側にある、請求項１に記載の音響変換器。
【請求項３】
・前記下部カバー（３０７）はＵ字状断面を有し、前記第二の永久磁石（３０４）が前記Ｕ字のループの内側に位置し、
・前記上部カバー（３０６）はプレート状断面を有し、前記プレートの外側エッジが前記上部カバー（３０６）の前記エッジを画定し、
・前記第一の永久磁石（３０４）は、前記下部カバー（３０７）の前記Ｕ字状断面の内側に面する前記プレートのその側にある、
請求項１に記載の音響変換器。
【請求項４】
・前記Ｕ字状断面において、前記Ｕ字のアームの端部は、内側に突出する延長部（４０３）を備え、前記延長部（４０３）の内側端部は、それぞれの前記カバー（３０６、３０７）のエッジを画定する、
請求項２または３に記載の音響変換器。
【請求項５】
・前記Ｕ字状断面を有する前記カバー（３０６、３０７）は、第一のカップ部品（６０１）および第二のカップ部品（６０２、８０２）を備え、それぞれがスカート部分および端部分を有し、
・前記第二のカップ部品（６０２、８０２）は、前記第一のカップ部品（６０１）に対して反転した位置にあり、
・前記第一および第二のカップ部品（６０１、６０２、８０２）の前記スカート部分は、少なくとも部分的に一方が他方の内側にあり、
・前記第二のカップ部品（６０２、８０２）の端部分は、開口部を有し、そのエッジは、前記Ｕ字状断面を有する前記カバー（３０６、３０７）の前記エッジを画定する、
請求項４に記載の音響変換器。
【請求項６】
・前記第一および第二のカップ部品（６０１、６０２）の前記スカート部分は、前記第一および第二のカップ部品（６０１、６０２）の両方の前記スカート部分の長さの大部分にわたって一方が他方の内側にあり、
・それぞれの前記永久磁石（３０３）は、前記第一および第二のカップ部品（６０１、６０２）の両方の前記スカート部分の内側にある、
請求項５に記載の音響変換器。
【請求項７】
・前記第一のカップ部品（６０１）の前記スカート部分の長さは、前記第二のカップ部品（８０２）の前記スカート部分の長さよりも長く、
・それぞれの前記永久磁石（３０３）は、前記第一のカップ部品（６０１）の前記スカート部分の内側にあり、
・それぞれの前記永久磁石（３０３）および前記第二のカップ部品（８０２）は、前記第一のカップ部品（６０１）の前記スカート部分の内側に積み重ねられる、
請求項５に記載の音響変換器。
【請求項８】
・磁性材料のシート（７０１）が、それぞれの前記永久磁石（３０３）と前記第一のカップ部品（６０１）の端部分との間に積み重ねられる、
請求項５〜７のいずれか一項に記載の音響変換器。
【請求項９】
・前記Ｕ字状断面を有する前記カバー（３０６、３０７）は、第一のカップ部品（１００１）および第二のカップ部品（１００２）を備え、それぞれがスカート部分および端部分を有し、
・前記第二のカップ部品（１００２）は、前記第一のカップ部品（１００１）に対して、前記第一のカップ部品（１００１）の内側で、同様に配向された位置にあり、
・前記第二のカップ部品（１００２）の前記スカート部分は、前記スカート部分の中間長手方向レベルにある前記スカート部分の穿孔ゾーン（１１０１）を備え、
・前記第二のカップ部品（１００２）の前記スカート部分は、前記端部分と反対側の端部に中実ゾーン（１１０２）を備え、前記中実ゾーン（１１０２）は、前記Ｕ字状断面を有する前記カバー（３０６、３０７）の前記エッジを画定する、
請求項４に記載の音響変換器。
【請求項１０】
・前記Ｕ字状断面を有する前記カバー（３０６、３０７）は、一端が端部分によって閉鎖され、他端が開放されたスカート部分を有する第一のカップ部品（１２０１）を備え、
・前記Ｕ字状断面を有する前記カバー（３０６、３０７）は、外側リムおよび内側リムを有するワッシャ部品（１２０２）を備え、前記内側リムは、前記スカート部分の内側寸法よりも小さい開口部を画定し、
・前記ワッシャ部品（１２０２）は、前記第一のカップ部品（１２０１）と同心で、前記スカート部分の開放端に取り付けられ、その結果、前記ワッシャ部品（１２０２）の前記内側リムは、前記Ｕ字状断面を有する前記カバー（３０６、３０７）の前記エッジを画定する、
請求項２に記載の音響変換器。
【請求項１１】
前記軸線（３０５）に垂直な方向への前記上部部品と前記下部部品（３０１、３０２）との相対的な移動に抵抗するように構成され、同時に前記軸線（３０５）の方向への前記上部部品と前記下部部品（３０１、３０２）との相対的な移動を可能にするように構成された支持部材（１３０１、１５０１）を備える、請求項１〜１０のいずれか一項に記載の音響変換器。
【請求項１２】
前記支持部材が多分岐渦巻きバネ（１３０１）を備え、前記多分岐渦巻きバネ（１３０１）の中心部分（１４０１）は、前記上部部品および前記下部部品（３０１、３０２）の一方に取り付けられ、前記多分岐渦巻きバネ（１３０１）の端部（１４０２）は、前記上部部品および前記下部部品（３０１、３０２）の他方に取り付けられる、請求項１１に記載の音響変換器。
【請求項１３】
前記支持部材は、前記上部部品および前記下部部品（３０１、３０２）に取り付けられ、前記離間ギャップ（３０９）を橋渡しする箔（１５０１）を備える、請求項１１に記載の音響変換器。
【請求項１４】
前記箔（１５０１）の少なくとも一部が、前記少なくとも１つのコイル（３０８）に電気信号を伝導するためのフレキシブルプリント回路を構成する、請求項１３に記載の音響変換器。
【請求項１５】
・第一および第二の構造部品（４０１、４０２）を有する電子デバイスと、
・少なくとも１つの、請求項１〜１４のいずれか一項に記載の音響変換器であって、前記音響変換器の前記上部部品（３０１）は、前記第一の構造部品（４０１）に取り付けられ、前記音響変換器の前記下部部品（３０２）は、前記電子デバイスの前記第二の構造部品（４０２）に取り付けられる、少なくとも１つの音響変換器と、
・前記電子デバイスの一部として、前記音響変換器の前記少なくとも１つのコイル（３０８）に電気信号を供給するように構成された電気回路と、
を備える、音を生成するための配置。
【請求項１６】
前記第一の構造部品（４０１）は、前記電子デバイスのディスプレイなどの前記電子デバイスの可視外面を備える、請求項１５に記載の配置。
【請求項１７】
前記第二の構造部品（４０２）は、前記電子デバイスの構造支持フレームの一部を備える、請求項１５または１６に記載の配置。
【請求項１８】
・前記音響変換器の前記上部部品（３０１）は、前記上部部品（３０１）が前記第一の構造部品（４０１）に取り付けられるその側に、第一の横方向寸法（Ｄ１）を有し、
・前記配置は、前記上部部品（３０１）と前記第一の構造部品（４０１）との間に、前記軸線（３０５）の方向に前記上部部品（３０１）の動きを前記第一の構造部品（４０１）内に伝達するための本質的に非弾性の第一の取付け部材（１６０１）を備え、
・前記第一の取付け部材（１６０１）は、前記第一の横方向寸法（Ｄ１）よりも小さい第二の横方向寸法（Ｄ２）を有する、
請求項１５〜１７のいずれか一項に記載の配置。
【請求項１９】
・前記配置は、前記第一の構造部品（４０１）に対して傾斜しないように前記上部部品（３０１）を安定させるために、前記第一の取付け部分（１６０１）によって覆われていない前記上部部品（３０１）および前記第一の構造部品（４０１）のそれらの部分の間に、本質的に弾性の第二の取付け部材（１６０２、１７０１）を備える、
請求項１８に記載の配置。
【請求項２０】
前記第二の取付け部材（１６０２、１７０１）は、弾性変形可能な緩衝材料（１６０２）、前記上部部品（３０１）の前記第一の横方向寸法（Ｄ１）よりも前記第一の構造部品（４０１）上にさらに延びるバネ分岐（１７０１）のうちの少なくとも１つを備える、請求項１９に記載の配置。
【請求項２１】
前記第一の構造部品（４０１）の局所的な弾性特性を前記上部部品（３０１）によって伝達される動きに合わせるために、前記上部部品（３０１）と前記第一の構造部品（４０１）との間に支持シート（１６０３）を備える、請求項１５〜２０のいずれか一項に記載の配置。